(57)【要約】【課題】  複数のＩＣタグ間に金属等の磁束を反射する障害物が存在しても、リーダライタとの交信を可能としたＩＣタグを提供する。【解決手段】  この磁性シート付ＩＣタグ２０２は、図２（ａ）のＩＣタグ２００のインレット３１の表面の右側端縁部から延びた磁性シートＢ３０と、インレット３１の裏面の左側端縁部から延びた磁性シートＡ３２とを備えて構成される。そして、磁性シートＢ３０と磁性シートＡ３２の先端部がインレット３１の中心線Ｓから更に延びることにより、磁性シートＢ３０と磁性シートＡ３２の先端部が重複して重複部３３を形成する。【選択図】  図３
2005165840.tif 000002
【特許請求の範囲】
【請求項１】
所定の変調方式に基づく搬送電力の送信とデータの授受を非接触にて行うリーダライタのリードライト対象物としてのＩＣタグであって、
前記ＩＣタグは、前記リーダライタのループアンテナから発生された磁束の磁路を形成する磁性シートと、前記ＩＣタグを保持するインレットとを備え、前記インレットの表裏に前記磁性シートの一部が重複するように形成したことを特徴とするＩＣタグ。
【請求項２】
前記磁束を、前記インレットと該インレットの表裏に形成された磁性シートが積層された前記ＩＣタグの両側面から通過させることを特徴とする請求項１に記載のＩＣタグ。
【請求項３】
前記磁性シートは、前記磁束が前記ＩＣタグのループアンテナを挿通する磁路を形成するように前記インレットの表裏に形成されることを特徴とする請求項１又は２に記載のＩＣタグ。
【請求項４】
前記磁性シートは、前記インレットの表裏の側面から互いに対向する方向に延伸して形成され、該延伸先端部の一部が重複するように形成されることを特徴とする請求項１又は３に記載のＩＣタグ。
【請求項５】
前記磁性シートは、前記インレットの表裏の側面から互いに対向する方向に延伸して形成され、該延伸先端部の一部が重複するように形成されると共に、該先端部から残りの部分をスペーサにより覆ったことを特徴とする請求項１又は３に記載のＩＣタグ。
【請求項６】
前記スペーサの材質は、前記磁性シートの透磁率に比べて小さい透磁率を有することを特徴とする請求項５に記載のＩＣタグ。
【請求項７】
前記磁性シートの磁束の進入方向の幅は、少なくとも前記ループアンテナを挿通する磁路を形成するに足る幅を備えていることを特徴とする請求項１乃至６の何れか一項に記載のＩＣタグ。
【請求項８】
前記インレットの表裏の側面から互いに対向する方向に延伸して形成された磁性シートは、それぞれ前記インレットの全長の１／２よりも長く、且つそれぞれの磁性シートの長さが略等しいことを特徴とする請求項１乃至６の何れか一項に記載のＩＣタグ。
【発明の詳細な説明】
【技術分野】
【０００１】
本発明は、ＩＣタグに関し、さらに詳しくは、金属による磁束反射障害を回避するＩＣタグの構成技術に関するものである。
【背景技術】
【０００２】
近年、ＩＣカードと呼ばれる新しい情報記録媒体が、市場に広く出回っている。ＩＣカードは、クレジットカード、銀行カード、ポイントカード等のカード状あるいはシート状の形状を備え、カード内にＩＣ(Integrated Circuit)が組み込まれているものを総称した名称である。最近では、ＩＣカードの応用品としてのＩＣタグが、各種物品に付されて在庫管理等の効率化に貢献している。このようなＩＣカードやＩＣタグは、リーダライタとの間でのデータの授受を電波にて行うため、定期券等のように１枚単位で処理されるＩＣカードでは特に発生しない特有の問題を有している。
例えば、現金書留の封筒にＩＣタグを貼付して仕分け等の管理をする際、封筒内に封入される金種が紙幣のみとは限らず、硬貨が混入している場合も想定される。従って、ＩＣタグの直下に硬貨が存在した場合、リーダライタによりＩＣタグの記録情報を読み取ろうとすると、硬貨（金属）による磁束反射障害によりＩＣタグの情報が正しく読み取れないといった問題が発生する。
この問題を解決するために、図８のようにＩＣタグ２００の片面に磁束７０、７３の磁路を形成する磁性シート７２を形成することにより、ＩＣタグ２００の直下に金属（この場合は硬貨）７５が存在していても、磁束７０、７３が磁性シート７２を磁路としてＩＣタグ２００の図示しないループアンテナを横切るため、図示しないリーダライタとの交信を行うことができる。尚、図で磁束７４が金属（この場合は硬貨）７５により反射されるが、磁性シート７２により減衰されて反射波の影響を無視することができる。
この磁性シートを備えた非接触型情報授受装置については、特開２００１−３３１７７２公報に開示されている。
【特許文献１】特開２００１−３３１７７２公報
【発明の開示】
【発明が解決しようとする課題】
【０００３】
しかしながら、図８の磁性シート７２を有するＩＣタグ２００を貼付した現金書留封筒を、１枚単位でリーダライタにより読み取るのであれば特に問題はないが、多数の封筒を仕分けするためには多大の時間を要し、非常に効率が悪い。
そこで、複数の封筒を重ねて積載して一括して読み取ろうとすると、例えば図９のように一番上のＩＣタグ２００ａについては、磁束７０、７３が磁性シート７２により磁路を形成するため図示しないリーダライタと交信は可能であるが、下にあるＩＣタグ２００ｂ、２００ｃには磁束７０、７３が金属７５により遮られて磁束が到達しない。その結果、ＩＣタグ２００ｂ、２００ｃと図示しないリーダライタとの交信は不可能となる。この例では各ＩＣタグ間に金属が存在する場合について説明したが、言い換えると、硬貨が封入された一番上の封筒が逆向きになった場合、磁束は即座に硬貨７５によって遮断されてしまう。
本発明は、かかる課題に鑑み、複数のＩＣタグ間に金属等の磁束を反射する障害物が存在しても、リーダライタとの交信を可能としたＩＣタグを提供することを目的とする。
【課題を解決するための手段】
【０００４】
本発明はかかる課題を解決するために、請求項１は、所定の変調方式に基づく搬送電力の送信とデータの授受を非接触にて行うリーダライタのリードライト対象物としてのＩＣタグであって、前記ＩＣタグは、前記リーダライタのループアンテナから発生された磁束の磁路を形成する磁性シートと、前記ＩＣタグを保持するインレットとを備え、前記インレットの表裏に前記磁性シートの一部が重複するように形成したことを特徴とする。
複数のＩＣタグを重ねて積載した場合、上下から磁束を与えると、途中に金属等の電波反射物体が存在した場合、全てのＩＣタグとの交信が正常に行われなくなる虞がある。そこで本発明では、各ＩＣタグのインレットの表裏面に磁性シートの一部が重なるように形成して、その重なった部分から磁束がＩＣタグを横切るようにしたものである。
かかる発明によれば、インレットの表裏に磁性シートの一部を重複するように形成したので、その重なった部分に磁路を形成して磁束がＩＣタグを横切ることができる。
請求項２は、前記磁束が、前記インレットと該インレットの表裏に形成された磁性シートが積層された前記ＩＣタグの両側面から通過させることを特徴とする。
複数のＩＣタグを重ねて積載した場合、上下から磁束を通過させると、途中に金属等の電波反射物体が存在した場合、全てのＩＣタグとの交信が正常に行われなくなる虞がある。そこで本発明では、各ＩＣタグのインレットの表裏面に磁性シートの一部が重なるように形成したＩＣタグの側面から磁束を通過させるものである。
かかる発明によれば、磁束をインレットとこのインレットの表裏に形成された磁性シートが積層されたＩＣタグの両側面から通過させるので、上下に存在する金属の影響を受けずに磁路を形成することができる。
【０００５】
請求項３は、前記磁性シートは、前記磁束が前記ＩＣタグのループアンテナを挿通する磁路を形成するように前記インレットの表裏に形成されることを特徴とする。
ＩＣタグの側面から入力した磁束は、ＩＣタグのループアンテナを横切るように進まないとループアンテナに起電力を誘起することができない。即ち、そのような構成であれば効率は別としてどのような構成でも構わない。即ち、磁束がループアンテナを横切るためには、磁性シートをインレットの表裏に形成する必要がある。
かかる発明によれば、磁性シートは、磁束がＩＣタグのループアンテナを横切る磁路を形成するようにインレットの表裏に形成されるので、磁束がインレットの上下方向に通過してループアンテナを横切ることができる。
請求項４は、前記磁性シートは、前記インレットの表裏の側面から互いに対向する方向に延伸して形成され、該延伸先端部の一部が重複するように形成されることを特徴とする。
側面から通過する磁束を効率良くＩＣタグに導くためには、表裏の磁性シート同士が対向する側面から延伸するように形成する必要がある。即ち、磁束は交流信号であるため、磁束の向きが交互に変化する。そのため、磁性シートはインレット表裏の対向する側面から延伸して略インレットの中心付近で磁性シートの先端の一部が重なるように形成される。
かかる発明によれば、磁性シートは、インレットの表裏のそれぞれ対向する側面から延伸して形成され、この延伸先端部の一部が重複するように形成されるので、側面から通過する磁束を効率良くＩＣタグに導くことができる。
【０００６】
請求項５は、前記磁性シートは、前記インレットの表裏の側面から互いに対向する方向に延伸して形成され、該延伸先端部の一部が重複するように形成されると共に、該先端部から残りの部分をスペーサにより覆ったことを特徴とする。
磁性シートとインレットは外形上同一形状であることが望ましい。しかし、磁性シートの形状はインレットの略中心で先端部の一部分を重複させて、インレットを横切る磁路を形成するため、インレットの全長より必ず小さくなる。そのために、残りの部分に段差が生じ外形上好ましくない。そこで本発明では、この段差部分をスペーサにより覆ってしまい、外形をインレットと同一にするものである。
かかる発明によれば、磁性シートは、先端部から残りの部分をスペーサにより覆うので、磁性シートとインレットを外形上同一形状とすることができる。
請求項６は、前記スペーサの材質は、前記磁性シートの透磁率に比べて小さい透磁率を有することを特徴とする。
磁束が通過する磁気回路の抵抗は材質の透磁率に反比例する。従って、側面からの磁束が磁性シート内を通過する場合、その磁気回路の抵抗を最小とすることが必要である。言い換えると、それ以外のスペーサの磁気回路の抵抗は磁性シートより大きくする必要があるので、磁性シートの透磁率に比べて小さい透磁率を有する材質を使用する。これにより、磁束が磁気回路の抵抗が小さい磁性シートに有効に通過することになる。
かかる発明によれば、スペーサの材質は、磁性シートの透磁率に比べて小さい透磁率を有する材質とするので、磁束が磁気回路の抵抗が小さい磁性シートに有効に通過することができる。
【０００７】
請求項７は、前記磁性シートの磁束の進入方向の幅は、前記インレットの幅と同一か、若しくは少なくとも前記ループアンテナを横切る磁路を形成するに足る幅を備えていることを特徴とする。
磁束が磁性シートを通過してインレットを横切る場合、全ての磁束がループアンテナを横切るとは限らない。即ち、ループアンテナを横切る磁束のみが有効な磁束となり、その他の磁束は不要となる。そこで本発明では、磁性シートの幅を少なくともループアンテナを横切るに足る幅にして磁性シートの材料を最小限にして部品コストの削減を図るものである。
かかる発明によれば、磁性シートの磁束入力方向の幅は、少なくともループアンテナを横切る磁路を形成するに足る幅を備えているので、磁性シートの材料を最小限にして部品コストの削減を図ることができる。
請求項８は、前記インレットの表裏の側面から互いに対向する方向に延伸して形成された磁性シートは、それぞれ前記インレットの全長の１／２よりも長く、且つそれぞれの磁性シートの長さが略等しいことを特徴とする。
インレットの表裏に形成された磁性シートは、磁気回路抵抗を両方向から同じにするためには、インレットの中心に対して対称的に形成する必要がある。その結果、必然的に両方の磁性シートの長さは同じになり、且つ重複させるためインレットの全長の１／２よりも長くなる。
かかる発明によれば、磁性シートは、それぞれインレットの全長の１／２よりも長く、且つそれぞれの磁性シートの長さが略等しい長さであるので、表裏対称的に構成でき表裏の向きを気にせずに物品に貼付することができる。
【発明の効果】
【０００８】
請求項１の発明によれば、インレットの表裏に磁性シートの一部を重複するように形成したので、その重なった部分に磁路を形成して磁束がＩＣタグを横切ることができる。インレットの表裏に磁性シートの一部を重複するように形成したので、その重なった部分に磁路を形成して磁束がＩＣタグを横切ることができる。
また請求項２では、磁束をインレットとこのインレットの表裏に形成された磁性シートが積層されたＩＣタグの両側面から通過するので、上下に存在する金属の影響を受けずに磁路を形成することができる。
また請求項３では、磁性シートは、磁束がＩＣタグのループアンテナを横切る磁路を形成するようにインレットの表裏に形成されるので、磁束がインレットの上下方向に通過してループアンテナを横切ることができる。
また請求項４では、磁性シートは、インレットの表裏のそれぞれ対向する側面から延伸して形成され、この延伸先端部の一部が重複するように形成されるので、側面から通過した磁束を効率良くＩＣタグに導くことができる。
また請求項５では、磁性シートは、先端部から残りの部分をスペーサにより覆うので、磁性シートとインレットを外形上同一形状とすることができる。
また請求項６では、スペーサの材質は、磁性シートの透磁率に比べて小さい透磁率を有する材質とするので、磁束が磁気回路の抵抗が小さい磁性シートに有効に通過することができる。
また請求項７では、磁性シートの磁束入力方向の幅は、少なくともループアンテナを横切る磁路を形成するに足る幅を備えているので、磁性シートの材料を最小限にして部品コストの削減を図ることができる。
また請求項８では、磁性シートは、それぞれインレットの全長の１／２よりも長く、且つそれぞれの磁性シートの長さが略等しい長さであるので、表裏対称的に構成でき表裏の向きを気にせずに物品に貼付することができる。
【発明を実施するための最良の形態】
【０００９】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は、本発明のＩＣタグの記録情報を読み書きするリーダライタの構成を示すブロック図である。このリーダライタ１００は、外部にあってリーダライタ１００に対してデータの授受を行ってシステム全体を制御するコンピュータ（以下、ＰＣと記す）１５０と、外部のＰＣ１５０とのデータの通信プロトコルを司る送受信装置１と、リーダライタ１００全体の動作を制御する制御装置（ＣＰＵ）２と、制御装置２を動作させる手順を記録したプログラムを格納するメモリ装置３と、制御装置２からのデータを搬送波に乗せて変調する変調器４と、操作コマンドを入力する入力装置５と、制御装置２からの情報を表示する表示装置６と、制御装置２からの交流信号である電力供給用信号と変調器４からの書き込みコマンドを電力増幅する電力増幅器７と、ループアンテナ９から受信した信号から２値化データに変換する検波復調器８と、図示しないＩＣタグとの電力用搬送波とデータの授受をするループアンテナ９とを備えて構成されている。
図２（ａ）は、本発明のＩＣタグの外形透視図であり、以下、この構成全体を指してＩＣタグと呼ぶ。図２（ａ）（Ａ）は上面図であり、図２（ａ）（Ｂ）は側面図である。このＩＣタグ２００は、図２（ａ）（Ａ）の上面図から明らかなように、ポリ塩化ビニル（ＰＶＣ）シート等を溶着してループアンテナ２０と制御ＩＣ２０１を保持するインレット３１と、インレット３１の外周に亘って形成されたループアンテナ２０と、ループアンテナ２０を介して所定の変調方式に基づく搬送電力の送信とデータの授受を制御する制御ＩＣ２０１とを備えて構成される。
図２（ｂ）は、本発明のＩＣタグ２００の制御ＩＣ２０１の内部構成を示すブロック図である。同じ構成要素には同じ参照番号を付して説明する。この制御ＩＣ２０１は、書き込みコマンド読み出しコマンドを送受する送受信装置２１と、ループアンテナ２０からの電力用搬送波を受け、それを整流して直流電力に変換する電力生成回路２２と、制御用プログラムとデータの一時記憶を司るメモリ装置２３と、制御回路２６からの搬送波に送信コマンドを乗せて変調する変調器２４と、送受信装置２１からの搬送波データから２値化データに変換する復調器２５と、ＩＣタグ２００の全体の動作を制御する制御回路２６を備えて構成されている。尚、制御ＩＣ２０１の外部に前記リーダライタ１００からの電力用搬送波によりデータの授受をするループアンテナ２０が接続される。
【００１０】
次に、図１と図２を参照してそれぞれの動作について説明する。リーダライタ１００は、図示しない電源が投入されると、制御装置２のイニシャル動作後、メモリ装置３に記憶されたプログラムに従い動作を開始する。まず、制御装置２は、ＩＣタグ２００に供給する電力供給用信号と、コマンド信号を電力増幅器７から送信する。その信号は、ループアンテナ９から電磁波として外部に放射される。次に、ＩＣタグ２００のループアンテナ２０が電力供給用信号を受信し、電力生成回路２２によりその搬送波を整流して直流電力に変換して、タグ内の全ての回路に供給する。電力を供給されて制御回路２６が駆動すると、メモリ装置２３に格納されたプログラムに従って制御を開始する。
次に、ＩＣタグ２００の制御回路２６は、まず送受信装置２１からコマンドを復調器２５で復調して２値化信号に変換し、そのコマンドを解析する。その結果自分が呼び出されていることを認識すると、レスポンスを変調器２４により変調して送受信装置２１を介してループアンテナ２０から送信する。
このレスポンスをリーダライタ１００がループアンテナ９で受信して、検波復調器８で２値化コードに変換し、制御装置２により解析してＩＣタグ２００が規格に合致したタグであると認識する。それにより、以後リーダライタ１００とＩＣタグ２００との間で通信が行われる。
【００１１】
図３は本発明の第１の実施形態に係る磁性シート付ＩＣタグの構成を示す図であり、図３（ａ）は側面図であり、図３（ｂ）は上面図である。この磁性シート付ＩＣタグ２０２は、図２（ａ）のＩＣタグ２００のインレット３１の表面の右側端縁部から表面中央部に向けて延びた磁性シートＢ３０と、インレット３１の裏面の左側端縁部から裏面中央部に向けて延びた磁性シートＡ３２とを備えて構成される。そして、磁性シートＢ３０と磁性シートＡ３２の各先端部がインレット３１の中心線Ｓを越えて更に延びることにより、磁性シートＢ３０と磁性シートＡ３２の先端部が重複して重複部３３を形成する。
次に図を参照して磁性シート付ＩＣタグ２０２の動作を説明する。本発明の特徴の一つは図１に示したリーダライタ１００からの磁束をＩＣタグの側面から入力する点である（詳細は後述する）。本説明では説明を簡略化するために磁束が左側面から入力し、その数が２本であると仮定して説明する（実際は磁束は左右交互に入力し、磁束も多数存在する）。リーダライタ１００が駆動すると磁束がループアンテナ９から発生する。そして、磁束３４と３５が夫々磁性シートＡ３２と磁性シートＢ３０を通過する。ここで、磁束が通過する磁気回路には磁気抵抗があり、磁気抵抗の大きさは磁束が通過する物体により変化する。即ち、磁気抵抗をＲ、物体の透磁率をμ、物体の断面積をＳ、長さをＬとすると、Ｒ＝Ｌ／μＳの関係がある。図では磁束３４は空気中を通過し、磁束３５は磁性シートＡ３２を通過する。空気の透磁率に比較して磁性シートＡ３２の透磁率の方が大きいので、磁性シートＡ３２の磁気抵抗は空気の磁気抵抗より小さいことがわかる。この結果、磁束３４は磁性シートＢ３０に到達すると磁気抵抗が小さくなり、そのままほとんどの磁束が磁性シートＢ３０内を通過する。また、磁性シートＡ３２内を通過した磁束３５は一部は磁束３５ｂとして空気中を通過するが、空気の磁気抵抗が大きいので、重複部３３において磁性シートＡ３２からインレット３１を横切って磁性シートＢ３０を通過する磁束３５ａが発生する。この理由は、インレット３１の厚さは実際には１ｍｍ以下であるので、磁性シートＡ３２と磁性シートＢ３０が近接しており、その部分の磁気抵抗が小さいためである。これにより、磁束３５ａが図３（ｂ）に示すループアンテナ２０を横切ることになり、リーダライタ１００と交信を行うことができる。尚、磁束が右側から入力された場合は、同様の原理により磁束３４がループアンテナ２０を横切ることになる。
【００１２】
図４は本発明の第２の実施形態に係る磁性シート付ＩＣタグ２０３の構成を示す図である。図４が図３と異なる点は、インレット３１の表裏両面上の磁性シート２０、３２が存在しない部分を夫々スペーサ３６、３７で覆った点である。動作は図３と同様であるので説明を省略する。即ち、磁性シートとインレットは外形上同一形状であることが望ましい。しかし、磁性シートの形状はインレット３１の略中心で先端部の一部分を重複させて、インレット３１を横切る磁路を形成するため、インレット３１の全長より必ず小さくなる。そのため残りの部分に段差が生じ外形上好ましくない。そこで本実施形態では、この段差部分をスペーサ３６、３７により覆ってしまい、外形をインレット３１と同一にするものである。
図５は図４の磁性シート付ＩＣタグ２０３を貼付し、中に硬貨が封入された現金書留封筒を複数重ねて積載した場合の模式図である。尚、この図では現金書留封筒を省略しているが、イメージとして図６のように現金書留封筒４１に磁性シート付ＩＣタグ２０２又は２０３が貼付され、現金書留封筒４１の中に硬貨４３、４４、４５が封入され、そのうちの硬貨４５が磁性シート付ＩＣタグ２０２又は２０３の直下に存在する場合を想定すればよい。そして図５はこのような現金書留封筒４１が重ねて積載されたものであり、磁性シート付ＩＣタグ２０３と硬貨の部分を模式的に表している。この図では各ＩＣタグ２０３ａ〜２０３ｄの直下に硬貨６０、６１、６２、６３が存在するものとして記されている。
図７は本発明の磁性シート付ＩＣタグを貼付し、中に硬貨が封入された現金書留封筒を複数重ねて積載し、リーダライタにより磁性シート付ＩＣタグの記録情報を読み書きする現金書留管理システムの概略構成図である。この現金書留管理システム３００は、外部にあってリーダライタ１００に対してデータの授受を行ってシステム全体を制御するＰＣ１５０と、所定の変調方式に基づく搬送電力の送信とデータの授受を非接触にて行うリーダライタ１００と、ＩＣタグ２０２／２０３との電力用搬送波とデータの授受をするループアンテナ９と、現金書留封筒を載置する封筒載置台５２とを備えて構成される。そして、ＰＣ１５０とリーダライタ１００はケーブル５５により接続され、リーダライタ１００とループアンテナ９はケーブル５６により接続される。また、ループアンテナ９は誘電体材料等で構成されるアンテナケース５１内に収納され、封筒載置台５２の側面から略直角に構成されている。尚、この図ではリーダライタ１００とループアンテナ９は別体に構成されているが、一体的に構成しても良い。また、ループアンテナ９が封筒載置台５２の右側面に形成されているが、他の側面であれば何処でも構わない。
【００１３】
次に、図５と図７を参照して本発明の現金書留管理システム３００の動作について説明する。この説明ではＩＣタグ２０３が現金書留封筒に貼付されている場合について説明する。まずＩＣタグ２０３が貼付されている複数の現金書留封筒を封筒載置台５２に載置する。このとき封筒の向きは側面がループアンテナ９に向くように載置することが必要である。その理由は前述した通りである。そして、ＰＣ１５０からリーダライタ１００に対して読み取りのコマンドを送信すると、リーダライタ１００は公知の通信手順に従ってループアンテナ９から電磁波を送信する。その電磁波は結果的に磁束としてループアンテナ９から発生され、各ＩＣタグ２０３の側面を通過する。例えば、図５の最上部のＩＣタグ２０３ａについて説明すると、図３で説明した通りの磁束のルートが形成されてＩＣタグ２０３ａとリーダライタ１００が交信することができる。同時に各ＩＣタグ２０３ｂ、２０３ｃ、２０３ｄにも磁束６４、６５、６６が前記の動作原理により磁束６４ａ、６５ａ、６６ａが形成されて、各ＩＣタグ２０３ｂ、２０３ｃ、２０３ｄとリーダライタ１００との交信を成立することができる。
このように、複数のＩＣタグを重ねて積載した場合、上下から磁束を通過させると、途中に硬貨等の電波反射物体が存在した場合、全てのＩＣタグとの交信が正常に行われなくなる虞がある。そこで本実施形態では、各ＩＣタグのインレットの表裏面に磁性シートの一部が重なるように形成したＩＣタグの側面から磁束を通過させるようにすれば、上下に存在する硬貨の影響を受けずに磁路を形成することができる。
【図面の簡単な説明】
【００１４】
【図１】本発明のＩＣタグの記録情報を読み書きするリーダライタの構成を示すブロック図である。
【図２】本発明のＩＣタグの外形透視図である。
【図３】本発明の第１の実施形態に係る磁性シート付ＩＣタグの構成を示す図である。
【図４】本発明の第２の実施形態に係る磁性シート付ＩＣタグの構成を示す図である。
【図５】本発明の図４の磁性シート付ＩＣタグ２０３を貼付し、中に硬貨が封入された現金書留封筒を複数重ねて積載した場合の模式図である。
【図６】本発明の磁性シート付ＩＣタグの直下に硬貨が存在する場合を想定した図である。
【図７】本発明の現金書留管理システムの概略構成図である。
【図８】従来のＩＣタグ２００の片面に磁束７０、７３の磁路を形成する磁性シート７２を形成した場合の磁束の動作を説明する図である。
【図９】図８のＴＣタグを重ねて積載した場合の磁束の動作を説明する図である。
【符号の説明】
【００１５】
３０  磁性シートＢ、３１  インレット、３２  磁性シートＡ、３３  重複部、２０２  磁性シート付ＩＣタグ
【図１】
2005165840.tif 000003
【図２】
2005165840.tif 000004
【図３】
2005165840.tif 000005
【図４】
2005165840.tif 000006
【図５】
2005165840.tif 000007
【図６】
2005165840.tif 000008
【図７】
2005165840.tif 000009
【図８】
2005165840.tif 000010
【図９】
2005165840.tif 000011